【手続補正書】
【提出日】平成17年7月15日(2005.7.15)
【手続補正１】
【補正対象書類名】特許請求の範囲
【補正対象項目名】全文
【補正方法】変更
【補正の内容】
【特許請求の範囲】
【請求項１】
複数の顧客にディジタル・サービスを提供する装置であって、
第１のフォーマットに符号化されて、１つのイベントを表すデータを含むメイン・データ・ストリームを生成する手段と、
第２のフォーマットに符号化されて、前記メイン・データ・ストリームに含まれる前記データが表す前記イベントに関連したオブジェクトを表すデータを含む追加のデータ・ストリームを生成する手段と、
前記追加のデータ・ストリームを前記メイン・データ・ストリームに組み込んで、合成データ・ストリームを生成する手段と、
を含む、前記複数の顧客にディジタル・サービスを提供する装置。
【請求項２】
前記追加のデータ・ストリーム内に於いて追加のオブジェクトの各々が利用できるデータ・スペースの量が、前記顧客の興味に関連する、請求項１記載の複数の顧客にディジタル・サービスを提供する装置。
【請求項３】
前記追加のデータ・ストリームに含まれ前記第２のフォーマットに符号化された前記データが、ＭＰＥＧ４フォーマットのデータから成る、請求項２記載の複数の顧客にディジタル・サービスを提供する装置。
【請求項４】
前記メイン・データ・ストリームに含まれ前記第１のフォーマットに符号化された前記データが、ＭＰＥＧ２フォーマットのデータから成る、請求項３記載の複数の顧客にディジタル・サービスを提供する装置。
【請求項５】
前記メイン・データ・ストリームに含まれ前記第１のフォーマットに符号化された前記データが、ＭＰＥＧ２フォーマットのデータから成り、
前記追加のデータ・ストリームに含まれ前記第２のフォーマットに符号化された前記データが、ＭＰＥＧ４フォーマットのデータから成り、
前記ＭＰＥＧ２フォーマットの前記データと前記ＭＰＥＧ４フォーマットの前記データとを含む前記合成データ・ストリームを、１つの通信チャネルを介して、顧客に提供する手段を含む、請求項１記載の複数の顧客にディジタル・サービスを提供する装置。
【請求項６】
前記メイン・データ・ストリームに含まれる前記データによって表される前記イベントが、全ての顧客に受信可能なイベントから成り、
前記イベントが、開始時刻と終了時刻とによって規定され、
前記追加のデータ・ストリームには、前記イベントに関連した少なくとも１つの追加のオブジェクトが含まれており、
前記少なくとも１つの追加のオブジェクトが、前記イベントの前記開始時刻と前記終了時刻との間、送信される、請求項１記載の複数の顧客にディジタル・サービスを提供する装置。
【請求項７】
前記メイン・データ・ストリームに含まれ前記第１のフォーマットに符号化された前記データが、ＭＰＥＧ２符号化データから成り、
前記追加のデータ・ストリームに含まれ前記第２のフォーマットに符号化された前記データが、ＭＰＥＧ４符号化データから成る、請求項６記載の複数の顧客にディジタル・サービスを提供する装置。
【請求項８】
前記メイン・データ・ストリームに含まれ前記第１のフォーマットに符号化された前記データが、ＭＰＥＧ２フォーマットに符号化されたデータから成り、
前記追加のデータ・ストリームに含まれ前記第２のフォーマットに符号化された前記データが、ＭＰＥＧ４フォーマットに符号化されたデータから成り、
前記合成データ・ストリームを、第１の通信チャネルを介して、顧客に提供する手段と、
前記第１の通信チャネルとこれと異なる第２の通信チャネルの内の一方を介して、追加の情報に対する顧客の応答を受信する手段と、
を含む、請求項１記載の複数の顧客にディジタル・サービスを提供する装置。
【請求項９】
顧客の前記応答に応じて、更なる追加の情報を、前記第１の通信チャネルを介して、その顧客に提供する手段を含む、請求項８記載の複数の顧客にディジタル・サービスを提供する装置。
【請求項１０】
視聴者の応答についての統計的情報を収集する手段を含む、請求項９記載の複数の顧客にディジタル・サービスを提供する装置。
【請求項１１】
複数の顧客にディジタル・サービスを提供する方法であって、
第１のデータ・フォーマットに符号化されて、１つのイベントを表すデータを含むメイン・データ・ストリームを生成するステップと、
第２のデータ・フォーマットに符号化されて、前記メイン・データ・ストリームに含まれる前記データが表す前記イベントに関連したオブジェクトを表すデータを含む追加のデータ・ストリームを生成するステップと、
前記追加のデータ・ストリームを前記メイン・データ・ストリームに組み込んで、合成データ・ストリームを生成するステップと、
を含む、前記複数の顧客にディジタル・サービスを提供する方法。
【請求項１２】
前記追加のデータ・ストリーム内に於いて追加のオブジェクトの各々が利用できるデータ・スペースの量が、前記顧客の興味に関連する、請求項１１記載の複数の顧客にディジタル・サービスを提供する方法。
【請求項１３】
前記追加のデータ・ストリームに含まれ前記第２のデータ・フォーマットに符号化された前記データが、ＭＰＥＧ４フォーマットのデータから成る、請求項１２記載の複数の顧客にディジタル・サービスを提供する方法。
【請求項１４】
前記メイン・データ・ストリームに含まれ前記第１のデータ・フォーマットに符号化された前記データが、ＭＰＥＧ２フォーマットのデータから成る、請求項１３記載の複数の顧客にディジタル・サービスを提供する方法。
【請求項１５】
前記メイン・データ・ストリームに含まれ前記第１のデータ・フォーマットに符号化された前記データが、ＭＰＥＧ２フォーマットのデータから成り、
前記追加のデータ・ストリームに含まれ前記第２のデータ・フォーマットに符号化された前記データが、ＭＰＥＧ４フォーマットのデータから成り、
前記ＭＰＥＧ２フォーマットの前記データと前記ＭＰＥＧ４フォーマットの前記データとを含む前記合成データ・ストリームを、１つの通信チャネルを介して、顧客に提供するステップを含む、請求項１１記載の複数の顧客にディジタル・サービスを提供する方法。
【請求項１６】
前記メイン・データ・ストリームに含まれる前記データによって表される前記イベントが、全ての顧客に受信可能なイベントから成り、
前記イベントが、開始時刻と終了時刻とによって規定され、
前記追加のデータ・ストリームには、前記イベントに関連した少なくとも１つの追加のオブジェクトが含まれており、
前記少なくとも１つの追加のオブジェクトを、前記イベントの前記開始時刻と前記終了時刻との間、送信するステップを含む、請求項１１記載の複数の顧客にディジタル・サービスを提供する方法。
【請求項１７】
前記メイン・データ・ストリームに含まれ前記第１のデータ・フォーマットに符号化された前記データが、ＭＰＥＧ２符号化データから成り、
前記追加のデータ・ストリームに含まれ前記第２のデータ・フォーマットに符号化された前記データが、ＭＰＥＧ４符号化データから成る、請求項１６記載の複数の顧客にディジタル・サービスを提供する方法。
【請求項１８】
前記メイン・データ・ストリームに含まれ前記第１のデータ・フォーマットに符号化された前記データが、ＭＰＥＧ２フォーマットに符号化されたデータから成り、
前記追加のデータ・ストリームに含まれ前記第２のデータ・フォーマットに符号化された前記データが、ＭＰＥＧ４フォーマットに符号化されたデータから成り、
前記合成データ・ストリームを、第１の通信チャネルを介して、顧客に提供するステップと、
前記第１の通信チャネルとこれと異なる第２の通信チャネルの内の一方を介して、追加の情報に対する顧客の応答を受信するステップと、
を含む、請求項１１記載の複数の顧客にディジタル・サービスを提供する方法。
【請求項１９】
顧客の前記応答に応じて、更なる追加の情報を、前記第１の通信チャネルを介して、その顧客に提供するステップを含む、請求項１８記載の複数の顧客にディジタル・サービスを提供する方法。
【請求項２０】
視聴者の応答についての統計的情報を収集するステップを含む、請求項１９記載の複数の顧客にディジタル・サービスを提供する方法。
【手続補正２】
【補正対象書類名】明細書
【補正対象項目名】発明の名称
【補正方法】変更
【補正の内容】
【発明の名称】複数の顧客にディジタル・サービスを提供する装置および方法